(57)【要約】【課題】ディジタル放送の受信及び記録再生装置において、記録した番組を複雑な操作をすることなく直ちに再生する。【解決手段】所望の番組に関連した情報だけをサブコードとして記録することで、再生時には使用者が複雑な操作をしなくても自動的に直ちに記録した番組を再生することができる。サブコード情報はパケット情報から生成し、複数のディジタル情報を識別する識別情報は、パケットを識別するパケットＩＤ（ＰＩＤ）である。識別情報は、プログラムアソシエーションテーブル（ＰＡＴ）、プログラムマップテーブル（ＰＭＴ）から取得する。【選択図】図１
2004048747.tif 000002
【特許請求の範囲】
【請求項１】
映像・音声・データ等をディジタル情報としてあらかじめ定められたパケット形式の一つのビット列に多重して伝送される信号を受信する受信手段と、前記受信手段で受信した信号を記録再生する記録再生手段からなるシステムにおいて、
前記受信手段は、少なくとも、伝送されたディジタル情報を受信し、あらかじめ定められた形式のビット列に復調するチャンネルデコード手段と、前記チャンネルデコード手段の出力か前記記録再生手段の出力かを選択する選択手段と、前記選択手段により選択された前記ビット列より指定した第１の情報パケットを抽出し、抽出された前記第１の情報パケットにより示される第１の信号パケットを出力する第１のパケット分離手段と、前記パケット分離手段より出力される映像・音声・データ等の第１の信号パケットを復号し、テレビジョン信号として出力するソースデコード手段と、前記チャンネルデコード手段の出力ビット列より指定した第２の情報パケットを抽出し、抽出された前記第２の情報パケットにより示される第２の信号パケットを少なくとも前記記録再生手段に出力する第２のパケット分離手段と、前記第２の情報パケットを少なくとも前記記録再生手段に出力する情報パケット出力手段と、前記記録再生手段により再生された第３の情報パケットを入力する入力手段と、前記第１のパケット分離手段より出力される前記第１の情報パケットまたは前記第２のパケット分離手段より出力される前記第２の情報パケットまたは前記記録再生手段により再生された前記第３の情報パケットを分析してシステムを制御する制御手段を備え、
前記記録再生手段が記録時においては前記選択手段は前記チャンネルデコード手段の出力を選択し、前記制御手段は前記第１の情報パケットまたは前記第２の情報パケットによりシステムを制御し、再生時においては前記選択手段は前記記録再生手段の出力を選択し、前記制御手段は前記第３の情報パケットによりシステムを制御することを特徴とするディジタル放送信号の受信および記録再生システムにおける受信装置。
【請求項２】
前記第２の情報パケットは、少なくともＭＰＥＧ２規格で定められたＰＡＴ（Ｐｒｏｇｒａｍ　Ａｓｓｏｃｉａｔｉｏｎ　Ｔａｂｌｅ）パケット、１つあるいは複数のＰＭＴ（Ｐｒｏｇｒａｍ　Ｓｐｅｃｉｆｉｃ　Ｉｎｆｏｒｍａｔｉｏｎ）パケットであり、前記第２の信号パケットは、少なくとも前記ＰＭＴで定められた映像・音声・データ等のパケットであることを特徴とする請求項１記載のディジタル放送信号の受信および記録再生システムにおける受信装置。
【請求項３】
映像・音声・データ等をディジタル情報としてあらかじめ定められたパケット形式の一つのビット列に多重して伝送される信号を受信及び復調し、復調信号のビット列より指定した情報パケットを抽出し、抽出された前記情報パケットにより示される信号パケット及び前記情報パケットを出力する受信手段と、前記受信手段で受信した信号を記録再生する記録再生手段からなるシステムにおいて、
前記記録再生手段は、前記受信手段が出力する前記信号パケットを入力する信号入力手段と、前記情報パケットを入力する情報入力手段と、前記信号入力手段で入力した記録信号パケットを記録媒体上の第１の領域に記録し、前記情報入力手段で入力した記録情報パケットを前記記録媒体上の第２の領域または／および第１の領域に記録する記録手段と、前記記録媒体を再生する再生手段と、前記再生手段により前記第１の領域で再生された信号から再生信号パケットを生成、出力する信号パケット処理手段と、前記再生手段により前記第２の領域または前記第１の領域で再生された信号から再生情報パケットを生成、出力する情報パケット処理手段と、前記記録手段が前記第１の領域と前記第２の領域を記録するタイミングの制御、及び前記再生手段が前記第１の領域と前記第２の領域を再生するタイミングの制御を行なうタイミング生成手段からなることを特徴とするディジタル放送信号の受信および記録再生システムにおける記録再生装置。
【請求項４】
前記情報パケットは、少なくともＭＰＥＧ２規格で定められたＰＡＴ（Ｐｒｏｇｒａｍ　Ａｓｓｏｃｉａｔｉｏｎ　Ｔａｂｌｅ）パケット、１つあるいは複数のＰＭＴ（Ｐｒｏｇｒａｍ　Ｓｐｅｃｉｆｉｃ　Ｉｎｆｏｒｍａｔｉｏｎ）パケットであり、前記信号パケットは、少なくとも前記ＰＭＴで定められた映像・音声・データ等のパケットであることを特徴とする請求項３記載のディジタル放送信号の受信および記録再生システムにおける記録再生装置。
【請求項５】
映像・音声・データ等をディジタル情報としてあらかじめ定められたパケット形式の一つのビット列に多重して伝送される信号を受信する受信手段と、前記受信手段で受信した信号を記録再生する記録再生手段からなるシステムにおいて、
前記受信手段は、少なくとも、伝送されたディジタル情報を受信し、あらかじめ定められた形式のビット列に復調するチャンネルデコード手段と、前記チャンネルデコード手段の出力か前記記録再生手段の出力かを選択する選択手段と、前記選択手段により選択された前記ビット列より指定した第１の情報パケットを抽出し、抽出された前記第１の情報パケットにより示される第１の信号パケットを出力する第１のパケット分離手段と、前記パケット分離手段より出力される映像・音声・データ等の第１の信号パケットを復号し、テレビジョン信号として出力するソースデコード手段と、前記チャンネルデコード手段の出力ビット列より指定した第２の情報パケットを抽出し、抽出された前記第２の情報パケットにより示される第２の信号パケットを少なくとも前記記録再生手段に出力する第２のパケット分離手段と、前記第２の情報パケットを少なくとも前記記録再生手段に出力する情報パケット出力手段と、前記記録再生手段により再生された第３の情報パケットを入力する入力手段と、前記第１のパケット分離手段より出力される前記第１の情報パケットまたは前記第２のパケット分離手段より出力される前記第２の情報パケットまたは前記記録再生手段により再生された前記第３の情報パケットを分析してシステムを制御する制御手段を備え、
前記記録再生手段は、前記受信手段が出力する前記第２の信号パケットを入力する信号入力手段と、前記第２の情報パケットを入力する情報入力手段と、前記信号入力手段で入力した記録信号パケットを記録媒体上の第１の領域に記録し、前記情報入力手段で入力した記録情報パケットを前記記録媒体上の第２の領域または／および第１の領域に記録する記録手段と、前記記録媒体を再生する再生手段と、前記再生手段により前記第１の領域で再生された信号から再生信号パケットを生成、出力する信号パケット処理手段と、前記再生手段により前記第２の領域または前記第１の領域で再生された信号から再生情報パケットを生成し、第３の情報パケットとして少なくとも前記受信手段に出力する情報パケット処理手段と、前記記録手段が前記第１の領域と前記第２の領域を記録するタイミングの制御、及び前記再生手段が前記第１の領域と前記第２の領域を再生するタイミングの制御を行なうタイミング生成手段を備え、
前記記録再生手段が記録時においては前記選択手段は前記チャンネルデコード手段の出力を選択し、前記制御手段は前記第１の情報パケットまたは前記第２の情報パケットによりシステムを制御し、再生時においては前記選択手段は前記記録再生手段の出力を選択し、前記制御手段は前記第３の情報パケットによりシステムを制御することを特徴とするディジタル放送信号の受信および記録再生システムにおける受信装置及び記録再生装置。
【請求項６】
前記第２の情報パケットは、少なくともＭＰＥＧ２規格で定められたＰＡＴ（Ｐｒｏｇｒａｍ　Ａｓｓｏｃｉａｔｉｏｎ　Ｔａｂｌｅ）パケット、１つあるいは複数のＰＭＴ（Ｐｒｏｇｒａｍ　Ｓｐｅｃｉｆｉｃ　Ｉｎｆｏｒｍａｔｉｏｎ）パケットであり、前記第２の信号パケットは、少なくとも前記ＰＭＴで定められた映像・音声・データ等のパケットであることを特徴とする請求項５記載のディジタル放送信号の受信および記録再生システムにおける受信装置及び記録再生装置。
【請求項７】
前記第１の情報パケットと前記第２の情報パケットを独立に選択することを特徴とする請求項１または請求項２のいずれか一項に記載のディジタル放送信号の受信および記録再生システムにおける受信装置。
【請求項８】
前記第１の情報パケットと前記第２の情報パケットを独立に選択することを特徴とする請求項５または請求項６のいずれか一項に記載のディジタル放送信号の受信および記録再生システムにおける受信装置及び記録再生装置。
【発明の詳細な説明】
【０００１】
【発明の属する技術分野】
本発明は、テレビジョン信号の受信及び記録再生装置に関し、特にディジタル信号のまま記録し再生するディジタル放送信号の受信および記録再生システムにおける受信装置及び記録再生装置に関する。
【０００２】
【従来の技術】
従来のディジタル信号を記録して再生する技術としては、複数の情報が多重されて伝送されてくるディジタル信号を受信して記録する受信システム及び記録再生装置が特開平８−９８１６４で述べられている。前記従来の技術においては、複数の情報が多重化されて伝送されてくるディジタル情報信号を受信し所望の情報を選択する受信手段と、上記受信手段で受信された情報を記録する記録手段から構成される受信システムについて述べられている。また、複数の情報が多重されて伝送されてくるディジタル信号を受信して番組を提示する際に所望の番組を選択する技術が特開平８−５６３５０に述べられている。前記従来技術においては、複数の番組がそれぞれパケット識別子を付加されてパケット化されるとともに前記番組と前記パケット識別子との対応関係を示す伝送制御データもパケット化され、これらの各パケットが多重化されて電送されてくる多重化信号の中から各番組を探索する装置が述べられている。
【０００３】
【発明が解決しようとする課題】
前述の特開平８−９８１６４で述べられている従来技術においては、記録した番組の再生時に多重された情報から所望の番組に関する情報だけを分離して再生する方法については述べられていない。一方、特開平８−５６３５０で述べられている従来技術においては多重されたディジタル信号から所望の信号を取り出して提示する探索手段について述べられている。しかし、例えば従来からあるアナログ方式のＶＴＲに記録した番組を再生しようとする場合は再生用のスイッチを押すだけでその他の操作を特にしなくても再生できるのが一般的であるのに対し、前述の特開平８−９８１６４で述べられているディジタル情報信号の技術と特開平８−５６３５０で述べられている技術を組み合わせても再生する際には例えば番組探索などの面倒な操作を行わなければならず、前述のアナログ方式ＶＴＲのようにスイッチを１つ押しただけで直ちに記録した所望の番組を再生する方法は実現できなかった。
【０００４】
本発明は、ディジタル信号のまま記録した番組を前述のアナログ方式ＶＴＲと同様に面倒な操作をすること無しに直ちに再生することが出来るディジタル放送信号の受信及び記録再生装置を提供することを目的とする。
【０００５】
【課題を解決するための手段】
映像・音声・データ等をディジタル情報としてあらかじめ定められたパケット形式の一つのビット列に多重して伝送される信号を受信する受信手段と、前記受信手段で受信した信号を記録再生する記録再生手段からなるシステムにおいて、
前記受信手段に、少なくとも、伝送されたディジタル情報を受信し、あらかじめ定められた形式のビット列に復調するチャンネルデコード手段と、前記チャンネルデコード手段の出力か前記記録再生手段の出力かを選択する選択手段と、前記選択手段により選択された前記ビット列より指定した第１の情報パケットを抽出し、抽出された前記第１の情報パケットにより示される第１の信号パケットを出力する第１のパケット分離手段と、前記パケット分離手段より出力される映像・音声・データ等の第１の信号パケットを復号し、テレビジョン信号として出力するソースデコード手段と、前記チャンネルデコード手段の出力ビット列より指定した第２の情報パケットを抽出し、抽出された前記第２の情報パケットにより示される第２の信号パケットを少なくとも前記記録再生手段に出力する第２のパケット分離手段と、前記第２の情報パケットを少なくとも前記記録再生手段に出力する情報パケット出力手段と、前記記録再生手段により再生された第３の情報パケットを入力する入力手段と、前記第１のパケット分離手段より出力される前記第１の情報パケットまたは前記第２のパケット分離手段より出力される前記第２の情報パケットまたは前記記録再生手段により再生された前記第３の情報パケットを分析してシステムを制御する制御手段を設け、
前記記録再生手段に、前記受信手段が出力する前記第２の信号パケットを入力する信号入力手段と、前記第２の情報パケットを入力する情報入力手段と、前記信号入力手段で入力した記録信号パケットを記録媒体上の第１の領域に記録し、前記情報入力手段で入力した記録情報パケットを前記記録媒体上の第２の領域または／および第１の領域に記録する記録手段と、前記記録媒体を再生する再生手段と、前記再生手段により前記第１の領域で再生された信号から再生信号パケットを生成、出力する信号パケット処理手段と、前記再生手段により前記第２の領域または前記第１の領域で再生された信号から再生情報パケットを生成し、第３の情報パケットとして少なくとも前記受信手段に出力する情報パケット処理手段と、前記記録手段が前記第１の領域と前記第２の領域を記録するタイミングの制御、及び前記再生手段が前記第１の領域と前記第２の領域を再生するタイミングの制御を行なうタイミング生成手段を設ける。
【０００６】
【発明の実施の形態】
本発明の実施例を図面を用いて説明する。
【０００７】
図１は本発明におけるディジタル放送信号の受信及び記録再生装置のブロック構成を示す図である。以下の説明において、アンテナ３００はＱｕａｄｒａｔｕｒｅ　ＰｈａｓｅＳｈｉｆｔ　Ｋｅｙｉｎｇ（以下ＱＰＳＫと略記）方式でディジタル変調された衛星放送電波を受信する例を示すが、これによって本発明で使用する送信方式を衛星放送に限定し、また変調方式をＱＰＳＫ方式に限定するものではない。また信号の圧縮および伸長方式として国際標準であるＭｏｖｉｎｇ　Ｐｉｃｔｕｒｅ　Ｅｘｐｅｒｔｓ　Ｇｒｏｕｐ２（以下ＭＰＥＧ２と略記）を用いた例を示すが、これによって本発明で使用する信号の圧縮および伸長方式をＭＰＥＧ２に限定するものではない。
【０００８】
図１において、３００はアンテナ、３０１は受信した電波をチューナ入力信号に変換するコンバータ、３０２はケーブル、４０１はチューナ、４０２はＱＰＳＫ復調回路、４０３は伝送に伴う信号の誤りを訂正するＦｏｒｗａｒｄ　Ｅｒｒｏｒ　Ｃｏｒｒｅｃｔｉｏｎ（以下ＦＥＣと略記）、４１４と４２４はスイッチ、４１３は第２の多重分離部、４２３は信号の記録再生手段、４０４は第１の多重分離部、４０５はＭＰＥＧ２デコーダ、４０６はビデオエンコーダ、４０７はＤ／Ａコンバータ、４０８はＯｎ　Ｓｃｒｅｅｎ　Ｄｉｓｐｌａｙ（以下ＯＳＤと略記）、４０９は制御手段、４１０はテレビジョンで、４３４、４１５は各々第１の多重分離部４０４とＭＰＥＧ２デコーダ４０５がデータを展開する為のＲＡＭ（Ｒａｎｄｏｍ　Ａｃｃｅｓｓ　Ｍｅｍｏｒｙ）、４１９は制御手段４０９の動作プログラムを記憶したＲＯＭ（Ｒｅａｄ　Ｏｎｌｙ　Ｍｅｍｏｒｙ）である。
【０００９】
また、４８０は記録プログラム情報、４８１は再生プログラム情報、４８２は記録プログラム信号、４８１は再生プログラム信号である。
【００１０】
図１において、衛星（図示せず）から送信された電波を、アンテナ３００で受信しコンバータ３０１でチューナ入力信号に変換してケーブル３０２を介してチューナ４０１に入力する。図１に示した例においては、チューナ４０１は制御手段４０９の設定に従って入力信号から所望の信号を選局し出力する。前記チューナ４０１の出力はＱＰＳＫ復調回路４０２で復調され、ＦＥＣ４０３に入力される。ＦＥＣ４０３は伝送に伴う入力ディジタル信号の誤り訂正を行う。
【００１１】
上記のようにして入力信号の誤り訂正を行って得られたディジタル信号をスイッチ４１４と４２４を介して第１の多重分離部４０４に入力した場合の動作を説明する。本発明で説明する衛星ディジタル放送は、一般に衛星に搭載された電波中継用トランスポンダ（図示せず）が中継する１つの電波に複数の番組を多重できるという特徴がある。この多重された番組の中から所望の番組を選択するのが第１の多重分離部４０４である。第１の多重分離部４０４で分離した信号はＭＰＥＧ２デコーダ４０５に入力される。ＭＰＥＧ２デコーダ４０５は圧縮されたディジタル信号を伸長して圧縮前のディジタル映像信号およびディジタル音声信号を再生する。再生されたディジタル映像信号はＯＳＤ回路４０８を介してビデオエンコーダ４０６に、ディジタル音声信号はＤ／Ａコンバータ４０７に入力される。ビデオエンコーダ４０６は入力ディジタル映像信号をアナログ映像信号に変換してテレビジョン４１０に出力する。一方、Ｄ／Ａコンバータ４０７は入力ディジタル音声信号をアナログ音声信号に変換してテレビジョン４１０に出力する。上記の動作は、ＲＯＭ４１９に記憶したプログラムによって動作する制御手段４０９によって制御される。
【００１２】
上記の説明において、第１の多重分離部４０４において所望の番組情報を分離する一般的な手順の例を図２、図３を用いて説明する。第１の多重分離部４０４に入力される信号は図２（Ａ）に示すパケットが多重された構成である。多重の一例を図２（Ｂ）に示す。図２（Ｂ）のように多重化された信号を第１の多重分離部４０４で処理することで以下に説明するような動作を行うものである。
【００１３】
多重分離部における動作の例を図３に示す。まずステップ２０１において視聴者が見たい番組の編成チャンネルを入力する。編成チャンネルとは一つの番組を構成する映像、音声等をまとめた呼び方であり従来のアナログ放送でいうテレビチャンネルに相当する。また、ディジタル放送においては一般的に複数の番組が多重された１つの周波数を物理チャンネルと呼ぶ。次にステップ２０２において現在受信している多重化信号（＝Ｔｒａｎｓｐｏｒｔ　Ｓｔｒｅａｍ，以下ＴＳと表記する）に含まれるＰＡＴ（Ｐｒｏｇｒａｍ　Ａｓｓｏｃｉａｔｉｏｎ　Ｔａｂｌｅ）を受信する。尚、ＰＡＴは国際標準であるＭＰＥＧ２規格で規定されているＰＳＩ（Ｐｒｏｇｒａｍ　Ｓｐｅｃｉｆｉｃ　Ｉｎｆｏｒｍａｔｉｏｎ）のなかのテーブルの１つである。ステップ２０３では、ステップ２０２で受信したＰＡＴの中から所望の編成チャンネルを検索する。所望の編成チャンネルがあればステップ２０７に移る。所望の編成チャンネルが無い場合は、ステップ２０４に移行し、ＰＳＩの１つであり、編成チャンネルと物理チャンネルの関係が記述されているＮＩＴ（Ｎｅｔｗｏｒｋ　Ｉｎｆｏｒｍａｔｉｏｎ　Ｔａｂｌｅ）を受信、所望の編成チャンネルが含まれる物理チャンネルを取得し、次のステップ２０５でステップ２０４において取得した物理チャンネルに移行する。
【００１４】
物理チャンネルの移行は、実際の回路においては図１において示したように、制御手段４０９からチューナ４０１に選局すべき周波数を設定することで行われる。その後、ステップ２０６で移行後の物理チャンネルにおけるＴＳのＰＡＴを受信する。ＰＡＴを受信したら、ステップ２０７において入力された編成チャンネルを構成する映像、音声などのＰＩＤが記述されているＰＭＴ（Ｐｒｏｇｒａｍ　Ｍａｐ　Ｔａｂｌｅ）のＰＩＤ（Ｐａｃｋｅｔ　ＩＤ）をＰＡＴから取得し、前記ＰＩＤを有するＰＭＴを受信する。但し、ＰＭＴはＰＳＩのテーブルの１つであり、またＰＩＤはパケットのヘッダに含まれるパケット識別子である。ＰＭＴには受信中のＴＳに含まれる各編成チャンネルを構成する映像、音声及び時間情報を示すＰＣＲ（Ｐｒｏｇｒａｍ　Ｃｌｏｃｋ　Ｒｅｆｅｒｅｎｃｅ）などのＰＩＤが記述されているので、ステップ２０８において所望の番組の映像、音声、ＰＣＲなどのＰＩＤを取得する。その後取得したＰＩＤをステップ２０９において第１の多重分離手段４０４に設定し、所望の映像、音声のストリームを受信、ＭＰＥＧ２デコーダ４０５に入力してデコードを行う。
【００１５】
以上で説明した動作によって復号した映像信号をＯＳＤ４０８を介してＮＴＳＣエンコーダで処理してアナログ信号に変換するとともに、音声信号をＤ／Ａコンバータ４０７でアナログ信号に変換してテレビジョン４１０に入力することで視聴者が希望した番組を提示することが出来る。
【００１６】
次に、スイッチ４１４と第２の多重分離部４１３を通して記録再生手段４２３に受信した信号を記録し、また記録再生手段４２３からスイッチ４２４を通して記録した信号を再生する手順を説明する。
【００１７】
記録再生手段４２３に信号を記録する場合は、制御手段４０９からの制御に従ってスイッチ４１４がＦＥＣ４０３と第２の多重分離部４１３を接続するように切り替わる。第２の多重分離部４１３は、記録したあとの再生時に視聴者が所望の番組だけを再生するために必要なデータだけを抜き出す手段である。図１の実施例においては、前述したＰＡＴ、ＰＭＴ、ＰＩＤ、映像、音声などの各ＴＳに加えてＭＰＥＧ２デコーダ４０５で必要となる時間情報を示すデータであるＰＣＲ（Ｐｒｏｇｒａｍ　Ｃｌｏｃｋ　Ｒｅｆｅｒｅｎｃｅ）と、番組関情報のうち所望の番組（現在視聴している番組）に関する情報のみを抜き出す。第２の多重分離部４１３の構成の一例を図８に示す。
【００１８】
図８においては所望の情報を抽出する多重分離手段４１３１と、多重分離手段４１３１の出力信号の伝送レートを前記記録再生手段に適合する様に速度変換する速度変換手段４１３２から構成するものである。速度変換手段４１３２は、具体的には例えばＦＩＦＯ（Ｆａｓｔ　ｉｎ　Ｆａｓｔ　Ｏｕｔ）メモリである。さらに第２の多重分離部４１３の他の構成例を図９に示す。図９において４１３３は、第２の多重分離部４１３と記録再生手段４２３とのインターフェース手段であり、例えば速度変換手段４１３２から出力される信号がパラレル信号であった場合にシリアル信号に変換する手段である。図８または図９に示す例のような構成の第２の多重分離部４１３によって抜き出した信号を記録プログラム信号４８２として記録再生手段４２３に出力する。
【００１９】
同時に、第２の多重分離部４１３で抽出されたＰＡＴ、ＰＭＴ、ＰＩＤ等を制御手段４０９を介して、記録再生手段４２３に記録プログラム情報４８０として出力する。
【００２０】
図４は記録再生手段４２３のブロック図を示したものであり、同図において５００は記録プログラム信号入力手段、５０１は記録プログラム情報入力手段、５０２は入力回路、５０３はサブコード生成回路、５０４は記憶回路、５０５は記録処理回路、５０６は再生処理回路、５０７は出力回路、５０８はサブコード処理回路、５０９は再生プログラム信号出力手段、５１０は再生プログラム情報出力手段、５１１は回転ヘッド、５１２は磁気テープ、５１３はタイミング生成回路である。
【００２１】
また、図５は、記録再生手段４２３における記録フォーマットであり、回転ヘッド５１１が１８０°回転して磁気テープ５１２に記録する１トラック分を示している。同図において、５０はマージン１及びプリアンブル１、５１はサブコードエリア、５２はポストアンブル１及びプリアンブル２、５３はメインエリア、５４はポストアンブル２及びマージン２である。また、メインエリア５３のうち、５５はディジタル信号、５６は誤り訂正用のＣ２パリティである。Ｃ２パリティ５６は６トラック分の縮ディジタル信号５５に対して付加され、６トラックで完結する構成となっている。
【００２２】
図６（ａ）はサブコードエリア５１に記録されるサブコードのフォーマットであり、１ブロックを示している。同図において、６１はブロックの先頭を示す同期信号、６２は磁気テープ１９の先頭からの絶対トラック数を示すトラック番号等が記録されるＩＤ１、６３はスタートフラグ、スキップフラグ等が記録されるＩＤ２、６４はＩＤ１（６２）とＩＤ２（６３）の誤り検出用のパリティであるＩＤＰ、６５はメインエリア５３に記録される信号に対し付加的な情報を持つパックデータ、６６はパックデータ６５の誤り検出、訂正用のＣ１パリティである。Ｃ１パリティ６６は１ブロックのパックデータ６５に対して付加される。また（ｂ）は、メインエリア５３に記録されるメインデータの記録フォーマットであり、１ブロックを示している。同図において、７１はブロックの先頭を示す同期信号、７２はフレーム情報等を示すＳＥＱ７７及びＴＰＡ７８等が記録されるＩＤ１、７３はトラック内のブロックの位置を示すブロックアドレスであるＩＤ２、７４はＩＤ１（７２）とＩＤ２（７３）の誤り検出用のパリティであるＩＤＰ、７５は圧縮映像信号等であるメインデータ、７６はメインデータ７５の誤り検出、訂正用のＣ１パリティである。Ｃ１パリティ７６は１ブロック内のメインデータ７５に対して付加される。第４図（ｂ）下段における１８０は未使用領域、７９はブロックの位置を示すブロックアドレスである。また（）内の数字は、ビット数を現わす。
【００２３】
記録時は、記録プログラム信号入力手段５００から入力した記録プログラム信号４８２を入力回路５０２を介して記憶回路５０４に記憶する。記録処理回路５０５により記憶回路５０４に記憶されたプログラム信号に図６（ｂ）に示すＣ２パリティ５６、Ｃ１パリティ７６、同期信号７１を付加し、回転ヘッド５１１により磁気テープ５１２上の図５に示すメインエリア５３に記録する。同時に記録プログラム情報入力手段５０１から、記録プログラム信号４８２に対する前記ＰＡＴ、ＰＭＴ、ＰＩＤ等の記録プログラム情報４８０を入力し、サブコード生成回路５０３により、図６（ａ）に示すパックデータ６５を生成する。さらに記録処理回路５０５によりＣ１パリティ６６、同期信号６１等を付加して、図５に示すサブコードエリア５１に記録される。なお、メインエリア５３、サブコードエリア５１の記録タイミングは、タイミング生成回路５１３により制御される。
【００２４】
再生時は回転ヘッド５１１により再生された信号を再生処理回路５０６で同期信号６１及び７１の検出、Ｃ１パリティ６６及び７６、Ｃ２パリティ５６を用いた誤り検出、訂正を行い、サブエリア５１から再生されたパックデータからサブコード処理回路５０６でＰＡＴ、ＰＭＴ、ＰＩＤ等を抽出し、再生プログラム情報出力手段より再生プログラム情報５１０として出力する。またメインエリア５３から再生されたメインデータ７５は記憶回路５０４に記憶された後、出力回路５０７を介して、再生プログラム信号出力手段５０９より再生プログラム信号５０９として出力される。なお、記録時と同様にメインエリア５３、サブコードエリア５１の再生タイミングは、タイミング生成回路５１３により制御される。
【００２５】
さらに、記録再生手段４２３で再生された再生プログラム信号をスイッチ４２４を介して多重分離手段４０４に入力する。多重分離手段４０４は記録再生手段４２３に記録された信号を再生する場合は制御手段４０９から制御して図７に示す手順で動作させる。以下、その動作を説明する。尚、一般的には番組関連情報であることを示すＰＩＤは番組によらず特定の値で示されるものであり、本実施例においてもこれを前提として説明する。
【００２６】
まずステップ４５０で制御手段４０９が、記録再生手段４２３から出力される再生プログラム情報を入力すると、直ちにステップ４５１で記録した番組の映像、音声などのＰＩＤを取得できる。以下の手順は図３において説明したのと同様である。
【００２７】
以上で説明したように本実施例においては、多重されたディジタル信号の状態で番組を記録した記録再生手段４２３から再生した番組を、視聴者が複雑な操作をすることなく直ちに多重分離してデコードし提示することが出来る。更に、所望の番組関連情報を記録しているので、ディジタル放送の特徴の１つである番組に関する情報を利用したサービスの充実を図ることが出来る。
【００２８】
なお、選局に必要なプログラム情報を、プログラム信号とは別にメインエリア５３の先頭部分（図示していない）に、サブコードエリア５１と同様にパックデータとして記録することも可能であり、こちらを用いても良い。
【００２９】
ところで、第２の多重分離部４１３で分離された記録プログラム信号４８２にも選局に必要なＰＡＴ、ＰＭＴ、ＰＩＤ等が含まれており、、再生時の再生プログラム信号４８３にも当然それらが含まれている。そこで多重分離手段４０４により再生プログラム信号４８３からＰＡＴ、ＰＭＴ、ＰＩＤ等を抽出してもよいが、図６におけるメインデータ７５は、前述したように６トラック完結のＣ２パリティ５６による誤り訂正を終了しないと出力されない。その間記憶回路５０４に記憶され続ける。一方、サブコードエリア５１に記録されるパックデータ６５はブロック完結のＣ１パリティ６６のみの誤り検出、訂正しか行われないため、再生後直ちに出力されるので、再生開始時、サブコードエリア５１に記録されたプログラム情報からＰＩＤ等の抽出した方が、選曲の処理が早く行える利点が生じる。
【００３０】
その際、誤り検出、訂正の回数が少ないことから、再生されたパックデータ６５の信頼性は、メインデータ７５の信頼性よりも劣る。そのため、通常パックデータ６５は同一トラック上に多重記録され、再生時にサブコード処理回路５０８により、１トラック内で一致検出、多数決一致等の処理を行い、再生パックデータ６５の信頼性を向上させる。その場合の出力遅延も１〜２トラック程度であり、メインデータ７５よりも早いタイミングで出力できる。また、プログラム情報をメインエリア５３の先頭に記録した場合は、Ｃ２パリティ５６を用いた誤り訂正を行なう前に出力すれば、サブコードエリア５１を用いた時と同様に早いタイミングで処理を行なうことが可能となる。
【００３１】
また、記録再生手段４２３の動作説明では、記録プログラム情報４８０の処理は、サブコード生成回路５０３から直接記録処理回路５０５に入力され、また再生プログラム情報４８１の処理は、再生処理回路５０６から直接サブコード処理回路５０８に入力されているが、記憶回路５０４に一度記憶しても良い。
【００３２】
さらに図１、図４では記録プログラム信号４８２と再生プログラム信号４８３を別々の信号線で伝送しているが、１つの線で入出力兼用としても良い。同様に記録プログラム情報４８０と再生プログラム情報４８１も１つの線で入出力兼用としても良い。また、記録プログラム情報４８０を記録プログラム信号４８２に、また再生プログラム情報４８１を再生プログラム信号４８３にそれぞれ多重して伝送してもよい。また、記録プログラム情報４８０を第２の多重分離部４１３が出力しても良く、再生プログラム情報４８１を多重分離手段４０４に入力しても良い。
【００３３】
また、図１ではスイッチ４１４の制御によりＦＥＣ４０３の出力が多重分離手段４０４か第２の多重分離部４１３のどちらかに入力される形になっているが、図１０に示すように、スイッチ４１４を設けず、ＦＥＣ４０３の出力が直接スイッチ４２４に接続されていても良い。この場合、多重分離手段４０４と第２の多重分離部４１３で異なる編成チャンネルを選択することにより、テレビジョン４１０であるチャンネルの番組を見ながら、同時に記録再生手段４２３に別のチャンネルの番組を記録する、いわゆる裏番組録画が可能となる。
【００３４】
尚、実施例においては、第１の多重分離手段４０４と第２の多重分離手段４１３を別回路として説明したが、この２つの手段は同一の回路ブロックとしても構わない。
【００３５】
さらに、１つのみの多重分離手段を設け、記録時にはＭＰＥＧデコーダ４０５と記録再生手段４２３へ同一の信号を伝送し、再生時には記録再生手段４２３からの出力を同多重分離手段に入力する構成としても良い。この場合、回路規模が小となる利点を持つ。
【００３６】
【発明の効果】
以上で説明したように、本発明を用いることで送信される信号の情報量と記録・再生装置に記録可能な情報量が異なる場合にも選択的に所望の番組等に関するディジタル信号だけを記録でき、また選局に必要な情報をサブコードとして記録しておくことにより、再生時には複雑な操作をすることなく直ちに記録した番組を再生することが出来る。
【図面の簡単な説明】
【図１】本発明の第１の実施例の構成を示すブロック図
【図２】パケット構造およびパケットの多重方式を示す図
【図３】記録再生装置が再生を行っていないときの番組提示の手順を示す図
【図４】本発明の記録再生装置のブロック図
【図５】記録再生装置における記録トラックフォーマットを示す図
【図６】記録再生装置における記録ブロックフォーマットを示す図
【図７】記録再生装置が再生を行うときの番組提示の手順を示す図
【図８】第２の多重分離部の構成を示す第１のブロック図
【図９】第２の多重分離部の構成を示す第２のブロック図
【図１０】本発明の第２の実施例の構成を示すブロック図
【符号の説明】
３００…アンテナ　　３０１…コンバータ　　３０２…ケーブル　　４０１…チューナ４０２…ＱＰＳＫ復調回路　　４０３…ＦＥＣ　　４０４…多重分離部
４０５…ＭＰＥＧ２デコーダ　　４０６…ビデオエンコーダ　　４０７…Ｄ／Ａコンバータ
４０８…ＯＳＤ　　４０９…制御手段　　４１０…テレビジョン
４１３…第２の多重分離部　　４２３…記録再生手段
４２４…スイッチ　　４１５、４３４…ＲＡＭ　４１９…ＲＯＭ
５０２…入力回路、５０３…サブコード生成回路、５０５…記録処理回路、
５０６…再生処理回路、５０７…出力回路、５０８…サブコード処理回路
５１１…回転ヘッド、５１３…タイミング生成回路
【図１】
2004048747.tif 000003
【図２】
2004048747.tif 000004
【図３】
2004048747.tif 000005
【図４】
2004048747.tif 000006
【図５】
2004048747.tif 000007
【図６】
2004048747.tif 000008
【図７】
2004048747.tif 000009
【図８】
2004048747.tif 000010
【図９】
2004048747.tif 000011
【図１０】
2004048747.tif 000012
【手続補正書】
【提出日】平成15年9月22日(2003.9.22)
【手続補正２】
【補正対象書類名】明細書
【補正対象項目名】特許請求の範囲
【補正方法】変更
【補正の内容】
【特許請求の範囲】
【請求項１】
映像・音声・データのいずれかを含む複数のディジタル情報と、前記複数のディジタル情報を識別するためのプログラムアソシエーションテーブル（ＰＡＴ）及びプログラムマップテーブル（ＰＭＴ）があらかじめ定められたパケット形式の一つのビット列に多重されたＭＰＥＧトランスポートストリームを記録媒体に記録するディジタル情報記録装置において、
前記複数のディジタル情報または前記プログラムマップテーブルのパケットを識別する識別情報を含むサブコード情報を生成するサブコード情報生成手段と、
前記ＭＰＥＧトランスポートストリームと前記サブコード情報を前記記録媒体の所定の領域に記録する記録手段とを備えたことを特徴とするディジタル情報記録装置。
【請求項２】
前記識別情報は、前記複数のディジタル情報のパケットを識別するパケットＩＤ（ＰＩＤ）を含むことを特徴とする請求項１に記載のディジタル情報記録装置。
【請求項３】
前記識別情報は、前記プログラムマップテーブルのパケットを識別するパケットＩＤ（ＰＩＤ）を含むことを特徴とする請求項１に記載のディジタル情報記録装置。
【請求項４】
前記ＭＰＥＧトランスポートストリームはデコードの基準となる時間情報（ＰＣＲ）を含み、前記識別情報は、前記時間情報のパケットを識別するパケットＩＤ（ＰＩＤ）を含むことを特徴とする請求項１に記載のディジタル情報記録装置。
【請求項５】
映像・音声・データのいずれかを含む複数のディジタル情報と、前記複数のディジタル情報を識別するためのプログラムアソシエーションテーブル（ＰＡＴ）及びプログラムマップテーブル（ＰＭＴ）があらかじめ定められたパケット形式の一つのビット列に多重されたＭＰＥＧトランスポートストリームを記録媒体に記録するディジタル情報記録方法において、
前記複数のディジタル情報または前記プログラムマップテーブルのパケットを識別する識別情報を含むサブコード情報を生成するサブコード情報を生成し、
前記ＭＰＥＧトランスポートストリームと前記サブコード情報を前記記録媒体の所定の領域に記録することを特徴とするディジタル情報記録方法。
【請求項６】
前記識別情報は、前記複数のディジタル情報のパケットを識別するパケットＩＤ（ＰＩＤ）を含むことを特徴とする請求項５に記載のディジタル情報記録方法。
【請求項７】
前記識別情報は、前記プログラムマップテーブルのパケットを識別するパケットＩＤ（ＰＩＤ）を含むことを特徴とする請求項５に記載のディジタル情報記録方法。
【請求項８】
前記ＭＰＥＧトランスポートストリームはデコードの基準となる時間情報（ＰＣＲ）を含み、前記識別情報は、前記時間情報のパケットを識別するパケットＩＤ（ＰＩＤ）を含むことを特徴とする請求項５に記載のディジタル情報記録方法。
【請求項９】
映像・音声・データのいずれかを含む複数のディジタル情報と、前記複数のディジタル情報を識別するためのプログラムアソシエーションテーブル（ＰＡＴ）及びプログラムマップテーブル（ＰＭＴ）があらかじめ定められたパケット形式の一つのビット列に多重されたＭＰＥＧトランスポートストリームが記録された記録媒体であって、
前記ＭＰＥＧトランスポートストリームと、少なくとも前記複数のディジタル情報または前記プログラムマップテーブルのパケットを識別する識別情報を含むサブコード情報が所定の領域に記録されていることを特徴とするディジタル情報記録媒体。
【請求項１０】
前記識別情報は、前記複数のディジタル情報のパケットを識別するパケットＩＤ（ＰＩＤ）を含むことを特徴とする請求項９に記載のディジタル情報記録媒体。
【請求項１１】
前記識別情報は、前記プログラムマップテーブルのパケットを識別するパケットＩＤ（ＰＩＤ）を含むことを特徴とする請求項９に記載のディジタル情報記録媒体。
【請求項１２】
前記ＭＰＥＧトランスポートストリームはデコードの基準となる時間情報（ＰＣＲ）を含み、前記識別情報は、前記時間情報のパケットを識別するパケットＩＤ（ＰＩＤ）を含むことを特徴とする請求項９に記載のディジタル情報記録媒体。
【手続補正３】
【補正対象書類名】明細書
【補正対象項目名】０００１
【補正方法】変更
【補正の内容】
【０００１】
【発明の属する技術分野】
本発明は、複数のディジタル情報を受信して記録するディジタル情報記録装置、記録方法および記録媒体に関する。


【手続補正４】
【補正対象書類名】明細書
【補正対象項目名】０００４
【補正方法】変更
【補正の内容】
【０００４】
本発明は、ディジタル信号のまま記録した番組を前述のアナログ方式ＶＴＲと同様に面倒な操作をすること無しに直ちに再生することが出来るディジタル放送信号の記録装置、記録方法および記録媒体を提供することを目的とする。


【手続補正５】
【補正対象書類名】明細書
【補正対象項目名】０００５
【補正方法】変更
【補正の内容】
【０００５】
【課題を解決するための手段】
上記目的を達成するため、本発明では、映像・音声・データのいずれかを含む複数のディジタル情報と、複数のディジタル情報を識別するためのプログラムアソシエーションテーブル（ＰＡＴ）及びプログラムマップテーブル（ＰＭＴ）があらかじめ定められたパケット形式の一つのビット列に多重されたＭＰＥＧトランスポートストリームを記録媒体に記録するディジタル情報記録装置において、複数のディジタル情報またはプログラムマップテーブルのパケットを識別する識別情報を含むサブコード情報を生成するサブコード情報生成手段と、ＭＰＥＧトランスポートストリームとサブコード情報を記録媒体の所定の領域に記録する記録手段とを備えた。
　　また本発明による記録媒体は、映像・音声・データのいずれかを含む複数のディジタル情報と、複数のディジタル情報を識別するためのプログラムアソシエーションテーブル（ＰＡＴ）及びプログラムマップテーブル（ＰＭＴ）があらかじめ定められたパケット形式の一つのビット列に多重されたＭＰＥＧトランスポートストリームが記録された記録媒体であって、ＭＰＥＧトランスポートストリームと、少なくとも複数のディジタル情報またはプログラムマップテーブルのパケットを識別する識別情報を含むサブコード情報が所定の領域に記録されているものである。